(57)【要約】【課題】浴室内での占有スペースを増加させることなく設置可能な浴槽を提供する。【解決手段】浴槽１は、浴槽１内に脚を伸ばして座ったときの足先側が湿気の拡散を遮断する天井部１１をともなって延伸された延伸部１０を備え、少なくとも延伸部１０の一部を浴室２内に残し、延伸部１０が浴室２の壁２０を貫通して浴室２から浴室外部３に至るように配設される。【選択図】図１
2006043343.tif 000002
【特許請求の範囲】
【請求項１】
全長の長さにかかわらず、浴室内での占有スペースを増加させることなく設置可能な浴槽であって、
前記浴槽内に脚を伸ばすように座ったときの足先側が湿気の拡散を遮断する天井部をともなって延伸された延伸部を備え、
前記延伸部が前記浴室の壁を貫通して前記浴室から前記浴室外部に至るように配設されることを特徴とする浴槽。
【請求項２】
全長の長さにかかわらず、浴室内での占有スペースを増加させることなく設置可能な浴槽であって、
前記浴槽内に脚を伸ばすように座ったときの足先側が湿気の拡散を遮断する天井部をともなって延伸された延伸部を備え、
少なくとも前記延伸部の一部を前記浴室内に残し、前記延伸部が前記浴室の壁を貫通して前記浴室から前記浴室外部に至るように配設されることを特徴とする浴槽。
【請求項３】
前記天井部は、浴槽の側壁と一体に形成されたことを特徴とする請求項１または２に記載の浴槽。
【請求項４】
前記延伸部の底面は、該延伸部が延伸した方向の内壁面に向かって上向きに傾斜したことを特徴とする請求項１，２または３に記載の浴槽。
【請求項５】
前記浴室外部に至った前記延伸部を隠すとともに前記浴室外部への湿気の拡散を防止するカバーを備えたことを特徴とする請求項１，２，３または４に記載の浴槽。
【発明の詳細な説明】
【技術分野】
【０００１】
本発明は、全長の長さにかかわらず、浴室内での占有スペースを増加させることなく設置可能な浴槽に関する。
【背景技術】
【０００２】
従来より、浴槽は脚を伸ばしてゆったりと入浴できるような大きなものが望まれているが、一般の住宅では浴室に割り当てる面積が限られる場合があり、希望通りの大きな浴槽を設置できないことがある。特に、マンション等の比較的小規模な住宅では床面積が限られているので大きな浴槽を設置することは困難であった。
【０００３】
比較的小規模な住宅では、浴室ユニットを設備したものが多いが、この浴室ユニット内の浴槽設置スペースを拡張することによって、より大きい浴槽を設置できるようにした浴室ユニットがある。（特許文献１参照）
この浴室ユニットは、浴室ユニット内の浴槽設置スペースの壁面を隣のスペース、例えば、洗濯機設置スペースに張り出させて浴室設置スペースを拡張し、もって、より大きな浴槽を設置できるようにしようとするものである。
【０００４】
【特許文献１】特開２０００−３１６７４１号公報
【発明の開示】
【発明が解決しようとする課題】
【０００５】
しかしながら、このような従来の技術では、浴槽設置スペースの壁面を隣の、例えば、洗濯機設置スペースに拡張するので、洗濯機設置スペースに余裕がない場合には浴槽設置スペースを拡張することができないという問題点がある。
【０００６】
また、拡張するだけのスペースが洗濯機設置スペースにあっても、スペースが狭くなったことにより洗濯の作業性が悪くなり得るという問題点がある。
【０００７】
本発明は、以上のような従来技術が有する問題点に着目して成されたもので、浴室内での占有スペースを増加させることなく設置可能な浴槽を提供することを目的としている。
【課題を解決するための手段】
【０００８】
かかる目的を達成するための本発明の要旨とするところは、次の各項の発明に存する。
［１］全長の長さにかかわらず、浴室（２）内での占有スペースを増加させることなく設置可能な浴槽（１）であって、
前記浴槽（１）内に脚を伸ばすように座ったときの足先側が湿気の拡散を遮断する天井部（１１）をともなって延伸された延伸部（１０）を備え、
前記延伸部（１０）が前記浴室（２）の壁（２０）を貫通して前記浴室（２）から前記浴室外部（３）に至るように配設されることを特徴とする浴槽。
【０００９】
［２］全長の長さにかかわらず、浴室（２）内での占有スペースを増加させることなく設置可能な浴槽（１）であって、
前記浴槽（１）内に脚を伸ばすように座ったときの足先側が湿気の拡散を遮断する天井部（１１）をともなって延伸された延伸部（１０）を備え、
少なくとも前記延伸部（１０）の一部を前記浴室（２）内に残し、前記延伸部（１０）が前記浴室（２）の壁（２０）を貫通して前記浴室（２）から浴室外部（３）に至るように配設されることを特徴とする浴槽（１）。
【００１０】
［３］前記天井部（１１）は、浴槽（１）の側壁（１２）と一体に形成されたことを特徴とする［１］または［２］に記載の浴槽（１）。
【００１１】
［４］前記延伸部（１０）の底面（１３）は、該延伸部（１０）が延伸した方向の内壁面（１４）に向かって上向きに傾斜したことを特徴とする［１］，［２］または［３］に記載の浴槽（１）。
【００１２】
［５］前記浴室外部（３）に至った前記延伸部（１０）を隠すとともに前記浴室外部（３）への湿気の拡散を防止するカバー（１５）を備えたことを特徴とする［１］，［２］，［３］または［４］に記載の浴槽（１）。
【００１３】
前記本発明は次のように作用する。
浴槽（１）を収容しきれない浴室（２）に収容する場合、浴室（２）の壁（２０）に浴槽（１）の延伸部（１０）が貫通する開口を設けて、この開口に延伸部（１０）を貫通させる。延伸部（１０）には湿気の拡散を遮断する天井部（１１）をともなっているので、この天井部（１１）が壁（２０）を貫通して浴室（２）から浴室内に亘るように配置することによって、延伸部（１０）から湿気が浴室外部（３）に拡散することが防止される。
【００１４】
また、延伸部（１０）の一部を浴室（２）内に残るように浴槽（１）を配した場合には、残った部分に物を置くこともできるし、浴槽（１）に張った温湯が冷めてしまうことの防止に役立つ。
【００１５】
天井部（１１）が浴槽（１）の側壁（１２）と一体に形成されている場合には、より確実に延伸部（１０）からの湿気の拡散を防止できる。なお、浴槽（１）と開口との間は目張りすればよい。
【００１６】
延伸部（１０）は、入浴者が浴槽（１）内に脚を伸ばして座ったときの足先側に延伸されているので、入浴者は、脚を伸ばして座れるとともに延伸部（１０）による入浴中の不都合はない。また、延伸部（１０）の底面（１３）は傾斜しており、その傾斜の方向は延伸部（１０）が延伸した方向の内壁面（１４）に向かって上向きである。したがって、入浴後に浴槽（１）の栓を抜いて浴槽（１）内の湯水を排水すると、湯水が延伸部（１０）に溜まることなく排水されるので、容易に浴槽（１）内を清掃をすることができる。
【００１７】
浴室外部（３）に至った延伸部（１０）を隠すためのカバー（１５）を備えたものの場合には、浴室外部（３）側から延伸部（１０）を隠すようにカバー（１５）を取り付ける。これにより、延伸部（１０）が剥き出しに晒されることがないので浴室外部（３）の体裁を悪くすることがなくなる。
【００１８】
このカバー（１５）は、湿気を通さない材質のもので形成することにより、浴室外部（３）への湿気の拡散をより確実に防止することができる。さらに、カバー（１５）に浴室外部（３）の環境に調和させた意匠を施すことによって体裁をつくろうことができる。例えば、浴室外部（３）が洗面・脱衣所や廊下などの室内である場合には、それらの壁（２０）面と同じ彩色および模様等を施し、また、浴室外部（３）が建物の外部である場合には、外壁（２０）と同じ彩色、模様、塗装等を施せばよい。
【００１９】
また、カバー（１５）は、衝撃に対する耐久性のある素材で形成することにより、浴室外部（３）に至った延伸部（１０）を外力による損傷から保護することができる。
【発明の効果】
【００２０】
本発明にかかる浴槽によれば、浴槽の全長が浴室内に収容できない長さであっても、延伸部を浴室の壁を貫通して浴室外部に至るように設置できるので、浴室内での占有スペースを増加させることなく設置することができる。したがって、入浴者が脚を伸ばしても余裕の有る全長の浴槽を設置することにより、入浴者は脚を伸ばしてゆったりと入浴することができる。また、天井部によって湿気が浴室外部に拡散することを防止できる。
【００２１】
また、天井部は浴槽側壁と一体に形成されているので、延伸部からの湿気の拡散が確実に防止され、したがって、延伸部が浴室の壁を貫通して至った浴室外部に湿気が漏れる虞がない。
【００２２】
また、延伸部の底面が該延伸部の延伸した方向の内壁面に向かって上向きに傾斜しているので、浴槽から湯水を排水する際に、延伸部に湯水が溜まることがなく、浴槽の清掃が容易であり、また、衛生的である。
【００２３】
さらに、浴室外部に至った延伸部は、カバーで隠すことができるので、浴室外部の体裁を悪くすることがない。
【００２４】
また、カバーは、浴室外部への湿気の拡散を防止するので、延長部が至った浴室外部への湿気の拡散をより確実に防止することができる。
【発明を実施するための最良の形態】
【００２５】
以下、図面に基づき本発明の好適な一実施の形態を説明する。  
図１から図３までには本発明の一実施の形態にかかる浴槽１が示されている。図１は浴槽１を浴室２に設置した状態を模式的に示している。浴槽１は、Ｆ．Ｒ．Ｐ．、ステンレスあるいはホーロー等の一般に使用されている素材によって製造されたものである。
【００２６】
浴槽１は、その長手方向の一端側を延伸した延伸部１０を備えている。延伸部１０は、入浴者が浴槽１内に座って脚を伸ばしたときの足先側を延伸した部分である。
【００２７】
浴槽１は、この延伸部１０が浴室２の壁２０に設けた開口を貫通して浴室２から浴室外部３に至るように配設されている。さらに、浴室外部３側には、延伸部１０を隠すためのカバー１５が壁２０若しくは壁２０から床３０にかけて取り付けられている。図３に示した例では、床３０に設けたカバー取付け具３１にカバー１５の下端部が取り付けられている。このカバー１５は、例えば、樹脂、ステンレス等の金属等で形成されている。なお、図１では、浴槽１と壁２０と開口との関係が分かり易いように開口の大きさを延伸部１０の大きさに対して大きめに示してあるが、開口は延伸部１０が貫通できる大きさであればよい。
【００２８】
従来の浴槽は、縁の部分が約１０ｃｍほど外側に張り出しているが、図３に示すように、浴槽１の延伸部１０には、従来の浴槽のような外側に張り出した縁が無いので、浴槽１は、この縁の１０ｃｍ分を延伸でき、さらに、浴室２と浴室外部３とを仕切る厚さ約１０ｃｍの壁２０を貫通させることにより、約１０ｃｍを延伸できる。したがって、約２０ｃｍを延伸できる。さらに、浴室外部３への張り出しをαｃｍとすれば、合計で約２０＋αｃｍの延伸ができる。浴室外部３がトイレや洗面室の場合には、部分的に１０ｃｍ程度の侵出部分が有ってもトイレや洗面室の使い勝手が悪くなることはない。したがって、浴槽１は、延伸部１０を合計約３０ｃｍとすることができる。また、浴室外部３が建物の外部である場合や室内であっても狭い洗面室などではない所の場合には、延伸部１０は前記のα分を１５ｃｍにしたり、あるいは２０ｃｍ以上にしたりしてもよい。
【００２９】
図３に示すように、延伸部１０の内壁面１４の最上部からは、浴槽１の長手方向の浴室２内側のもう一方の端部に向かって折り返すようにオーバーハングした天井部１１が形成されている。この天井部１１は、図２に示すように延伸部１０の側壁１２とも一体に形成されている。これによって、天井部１１は延伸部１０から立った湯気の上昇を阻んで、湿気の拡散を遮断することができる。このことはまた、浴槽１内の温湯が冷めることを防止することに役立つ。延伸部１０が壁２０を貫通している浴室側の部分には、従来と同様のコーキングが施されている。これによって、浴室２内の湿気が浴室外部３側に漏れることを防止している。
【００３０】
延伸部１０の底面１３は、前記内壁面１４に向かって上向きに傾斜している。これにより、浴槽１内の湯水を該浴槽１から抜く際に、延伸部１０内に湯水が残留することがない。したがって、延伸部１０内の清掃を容易に行うことができる。
【００３１】
この底面１３に面した天井部１１の内面１１ａは、内壁面１４に向かってやや下向きに傾斜している。これにより、内面１１ａに付着した湯気は水滴となって流れ落ち易く、清掃も容易である。
【００３２】
浴室外部３に至った延伸部１０を隠すための前記カバー１５は、湿気を通さない材質のもので形成した場合には、浴室２から浴室外部３への湿気の拡散を防止できるので、天井部１１および延伸部１０と壁２０との間のコーキングとともに浴室２から浴室外部３への湿気の拡散をより確実に防止することができる。
【００３３】
また、このカバー１５は浴室外部３の環境に調和させた意匠を施してもよい。浴室外部３が例えば、洗面・脱衣所や廊下などの室内である場合には、それらの壁面の色と同じあるいは同系色の彩色を施してコーディネートを図ったり、壁面の色とコントラストをなす色を彩色してアクセントを付けたりしてもよい。また、壁面に模様がある場合には、同一あるいは同様の模様を施しても良い。浴室外部３が建物の外部である場合には、外壁と同じ彩色、模様、塗装等を施してもよい。このように、カバー１５に適宜に意匠を施すことによって、カバー１５に違和感が生じず、カバー１５を室内デザインの一部や建物の外部のデザインの一部に溶け込ませることができる。
【００３４】
また、浴室外部３に至った延伸部１０が大きな外力を受けて破損したり、損傷したりしないように保護するために、カバー１５を耐衝撃性に優れた素材で形成してもよい。
【００３５】
特に、浴室外部３が建物の外部であるときには耐衝撃性に優れたカバー１５を装着することが好ましい。
【００３６】
次に、本実施の形態の作用を説明する。
浴槽１を収容しきれない浴室２に収容する場合、浴室２の壁２０に浴槽１の延伸部１０が貫通する開口を設けて、この開口に延伸部１０を貫通させる。この開口は、将来のリフォームの際に浴室２に収容しきれない長大な浴槽１を設置する場合の有ることを想定して、予め設けておいてもよい。
【００３７】
この開口を延伸部１０が貫通するように設置するが、延伸部１０の一部は浴室２内に残るように配置する。このように配置することによって、天井部１１が浴室２内から壁２０にかけて位置する。さらに、延伸部１０が壁２０を貫通する部分の浴室２側および浴室外部３側のうち少なくとも浴室２側には、防水のためのコーキングを施す。このように浴槽１を設置することにより、湿気が浴室外部３に拡散することを防止できる。
【００３８】
なお、天井部１１は上記のように浴槽１の側壁１２と一体に形成されているが、延伸部１０を覆うように取り付けられる、浴槽１とは別体のものであってもよい。また、天井部１１は、浴室２側の端部を浴室２内には残さず、壁２０の浴室２側の壁面と略同一位置に位置するようにしてもよい。
【００３９】
壁２０の浴室外部３側には開口を塞いで延伸部１０を隠すために、カバー１５を取り付ける。前記したように、カバー１５は湿気を通さない材質のもので形成しても良く、この場合、浴室外部３への湿気の拡散をより一層確実に防止することができる。
【００４０】
以上のように浴室２に設置した浴槽１は、延伸部１０の一部が浴室２の外にまで至っているが、入浴者は延伸部１０とは反対側に座って延伸部１０に向けて脚を伸ばすことにより、ゆったりとした気分で入浴することができる。
【００４１】
また、浴槽１によれば、浴室２内のスペースが制限される小規模住宅などにおいても、本来なら浴室２内に設置できない大きさの浴槽を設置することができる。
【００４２】
また、延伸部１０の底面を延伸部１０が延伸した方向の内壁面に向かって上向きに傾斜させてあるので、入浴後に浴槽１の栓を抜いて浴槽１内の湯水を排水すると、延伸部１０に湯水が溜まることがなく容易に清掃をすることができる。
【００４３】
浴室外部３に至った延伸部１０を隠すためのカバー１５を取り付けることにより、延伸部１０が剥き出しに晒されることがないので浴室外部３の体裁を悪くすることがなくなる。
【００４４】
この際、浴室外部３に侵出する部分は浴槽１およびカバー１５あるいはカバー１５だけであり、浴室２の壁２０の位置を変えて浴室２を拡張する場合とは異なって、浴槽１およびカバー１５に侵出された浴室外部３のスペースの使い勝手を損なうことがほとんどない。
【００４５】
また、本実施の形態にかかる浴槽１は十分に収容スペースのある浴室２に設置した場合には、従来の浴室と同様に使用することができる。この場合、天井部１１は、物を置くスペースとして利用できるとともに前記のように浴槽１の湯が冷めることの防止にも役立つ。
【図面の簡単な説明】
【００４６】
【図１】本発明の一実施の形態にかかる浴槽の設置状態を示す模式図である。
【図２】図１の浴槽の設置状態からカバーを省略して示す平面図である。
【図３】図１の浴槽の設置状態を示す縦断面図である。
【符号の説明】
【００４７】
１…浴槽
２…浴室
３…浴室外部
１０…延伸部
１１…天井部
１１ａ…内面
１２…側壁
１３…底面
１４…内壁面
１５…カバー
２０…壁
３０…床
３１…カバー取付け具
【図１】
2006043343.tif 000003
【図２】
2006043343.tif 000004
【図３】
2006043343.tif 000005